(57)【要約】【課題】液体タンク内の液量、路面や走行状態によっても給液口からの液漏れが生じないような液体タンクの液漏れ防止装置を提供する。【解決手段】内部に給液通路を構成し且つ先端に給液口（２ａ）が形成されているフィラーチューブ（２）を液体タンク本体（１）に設け、給液管（２）内の給液通路に開閉可能な締め切り手段（Ｃ）を設けており、その締め切り手段（Ｃ）は回動することで給液通路を開閉するバタフライ弁（５）で構成されている。【選択図】図２
2008213584.tif 000002
【特許請求の範囲】
【請求項１】
自動車の液体タンク給液口からの液漏れを防止する液体タンクの液漏れ防止装置において、内部に液体通路を構成し且つ先端に給液口が形成されている給液管を液体タンク本体に設け、給液管内の給液通路に開閉可能な締め切り手段を設けており、その締め切り手段は回動することで給液通路を開閉するバタフライ弁で構成されていることを特徴とする液体タンクの液漏れ防止装置。
【請求項２】
前記バタフライ弁を回動する軸の一端を給液管外に延長し、延長された軸にアームを取り付け、該アームは手動操作によってバタフライ弁の軸を回動する様に構成されている請求項１の液体タンクの液漏れ防止装置。
【請求項３】
前記バタフライ弁を回動する軸の一端を給液管外に延長し、延長された軸にアームを取り付け、エアによって伸縮作動をするエアシリンダを設け、リンクを介してエアシリングをアームに連結する請求項１の液体タンクの液漏れ防止装置。
【請求項４】
自動車の液体タンク給液口からの液漏れを防止する液体タンクの液漏れ防止装置において、内部に給液通路を構成し且つ先端に給液口が形成されている給液管を液体タンク本体に設け、給液管内の給液通路に漏斗状のガードプレートを設け、そのガードプレートの穴部の開閉を行う締め切り手段を設けており、その締め切り手段は給液通路に直交するクランク状軸とその軸を回動することで給液通路に沿って移動する弁体により構成されていることを特徴とする液体タンクの液漏れ防止装置。
【請求項５】
前記クランク状軸の一端を給液管外に延長し、延長されたクランク状軸にアームを取り付け、該アームは手動操作によって前記クランク状軸を回動する様に構成されている請求項４の液体タンクの液漏れ防止装置。
【請求項６】
前記クランク状軸の一端を給液管外に延長し、延長されたクランク状軸にアームを取り付け、エアによって伸縮作動をするエアシリンダを設け、リンクを介してエアシリングをアームに連結する請求項４の液体タンクの液漏れ防止装置。
【請求項７】
前記液体タンクは燃料タンクである請求項１〜６の何れか１項の液体タンクの液漏れ防止装置。
【請求項８】
前記液体タンクは尿素水タンクである請求項１〜６の何れか１項の液体タンクの液漏れ防止装置。
【発明の詳細な説明】
【技術分野】
【０００１】
本発明は、自動車の燃料タンクや尿素水タンクの様な液体タンクの給液口からの液漏れ（例えば、燃料漏れ、尿素水漏れ）を防止する液体タンクの液漏れ防止装置に関する。
【背景技術】
【０００２】
図９では、自動車の液体タンクとして、自動車用燃料タンクＴを示している。
係る自動車用燃料タンクＴでは、タンク本体１からフィラーチューブ２（給液管）が車両の上方且つ側方に延びている。そのフィラーチューブ２の内部が給油通路を構成しており、そして、フィラーチューブ２が給油口を構成している。
フィラーチューブ２の先端は、フィラーキャップ３で蓋をして、燃料漏れを防止している。
【０００３】
しかし、フィラーキャップ３による油密が十分でないと、路面状況による走行時の油面の揺れ、あるいは遠心力などによって、給油口からの燃料漏れを生じる恐れがある。
特にトラック用の燃料タンクでは、フィラーチューブが比較的短く、満タン時、走行中に油面が大きく揺れて給油口の淵まで達して少量の燃料漏れが生じることがある。
【０００４】
また、図１０に示すように、フィラーチューブ２内に漏斗状（逆円錐形状）のガードプレート４を設け、油面が給油口まで上昇するのを防止する従来技術も存在する。
しかし、ガードプレート４のみでは油密が充分ではない場合がある。そのため、給油口に軍手などの布を被せて、燃料漏れを防いでいるドライバーもいる。
【０００５】
その他の従来技術として、キャップにタンクの内外を連通する空気穴を形成し、その空気穴を閉止する弁を設けてタンク内のフロートと連結し、フロートの上昇によって空気穴を閉止する技術が提案されている（特許文献１）。
しかし、かかる技術は、上述した問題点を解決するものではない。
【特許文献１】実開平３−４０９７７号公報
【発明の開示】
【発明が解決しようとする課題】
【０００６】
本発明は、燃料タンクや尿素水タンク等の液体タンク内の液量（例えば油量、尿素水量）や、路面、走行状態にかかわらず、給液口からの液漏れを防止することが出来る液体タンクの液漏れ防止装置の提供を目的としている。
【課題を解決するための手段】
【０００７】
本発明の液体タンク（例えば、燃料タンクＴや尿素水タンク）の液漏れ防止装置は、自動車の液体タンク給液口（例えば、燃料タンクＴの給油口２ａ）からの液漏れ（例えば、燃料漏れ、尿素水漏れ）を防止する液体タンク（Ｔ）の液体漏れ防止装置において、内部に給液通路（例えば給油通路、尿素水供給用通路）を構成し且つ先端に給液口（２ａ）が形成されている給液管（フィラーチューブ２）を液体タンク本体（１）に設け、給液管（２）内の給液通路に開閉可能な締め切り手段（Ｃ）を設けており、その締め切り手段（Ｃ）は回動することで給液通路を開閉するバタフライ弁（５）で構成されていることを特徴としている（請求項１：図１〜図６）。
【０００８】
本発明（請求項１の発明）において、前記バタフライ弁（５）を回動する軸（５ａ）の一端を給液管（２）外に延長し、延長された軸（５ａ）にアーム（６）を取り付け、該アーム（６）は手動操作によってバタフライ弁（５）の軸（５ａ）を回動する様に構成されているのが好ましい（請求項２：図２〜図５）。
【０００９】
また、前記バタフライ弁（５）を回動する軸（５ａ）の一端を給液管（２）外に延長し、延長された軸（５ａ）にアーム（６Ａ）を取り付け、エアによって伸縮作動をするエアシリンダ（１２）を設け、リンク（１３）を介してエアシリング（１２）をアーム（６Ａ）に連結するのが好ましい（請求項３：図６）。
【００１０】
ここで、エアソースから電磁弁（１４）を介して、前記エアシリンダ（１２）へ空気を供給し、遮断するのが望ましく、その電磁弁（１４）には、運転席に設けたスイッチ（１６）から信号伝達ライン（ＬＳ）が配線されており、以って、運転席に設けたスイッチ（６）によりバタフライ弁（５）の開閉操作を行うように構成するのが望ましい。
【００１１】
また、本発明の液体タンクの液漏れ防止装置は、自動車の液体タンク給液口からの液漏れを防止する液体タンクの液漏れ防止装置において、内部に給液通路を構成し且つ先端に給液口（２ａ）が形成されている給液管（２）を液体タンク本体（１）に設け、給液管（２）内の給液通路に漏斗状のガードプレート（４）を設け、そのガードプレートの穴部（４ａ）の開閉を行う締め切り手段（Ｃ１）を設けており、その締め切り手段（Ｃ１）は給液通路に直交するクランク状軸（２３）とその軸（２３）を回動することで給液通路に沿って移動する弁体（２１）により構成されていることを特徴としている（請求項４：図７、図８）。
【００１２】
そして、本発明（請求項４の発明）において、前記クランク状軸（２３）の一端を給液管（２）外に延長し、延長されたクランク状軸（２３）にアーム（６）を取り付け、該アーム（６）は手動操作によって前記クランク状軸（２３）を回動する様に構成されているのが好ましい（請求項５）。
【００１３】
または、前記クランク状軸（２３）の一端を給液管（２）外に延長し、延長されたクランク状軸（２３）にアーム（６Ａ）を取り付け、エアによって伸縮作動をするエアシリンダ（１２）を設け、リンク（１３）を介してエアシリング（１２）をアーム（６Ａ）に連結するのが好ましい（請求項６）。
【００１４】
本発明（請求項１〜６の何れか１項の発明）に係る液体タンクの液漏れ防止装置において、前記液体タンクは燃料タンク（Ｔ）であるのが好ましい（請求項７）。
【００１５】
或いは、本発明（請求項１〜６の何れか１項の発明）に係る液体タンクの液漏れ防止装置において、前記液体タンクは尿素水タンクであるのが好ましい（請求項８）。
【発明の効果】
【００１６】
本発明の作用効果を以下に列挙する。
（１）  給液時以外（例えば、走行時）には、締め切り手段（Ｃ、Ｃ１）が常に給液管（２）内の給液通路を閉鎖する様に機能し、タンク（Ｔ）内の液体が給液口へ上昇するのを遮断するので、過酷な走行条件、例えば、悪路による液面の振動や遠心力による偏りが生じるような状態になったとしても、給液口（２ａ）から液体が漏出することがない。
（２）  締め切り手段（Ｃ、Ｃ１）は、給液通路を開放する状態にすることが出来るので、（燃料や尿素水等の）給液作業を妨げることがない。
（３）  給液口から液体が漏出しないので、液体（燃料や尿素水等）の消費量の低減が図れ、液体タンク（Ｔ）周辺の汚れが防止される。
（４）  満タン時の液体漏れの配慮や、キャップ（３）の密封性劣化等による液漏れの配慮を必要としない。
（５）  上記の締め切り手段（Ｃ、Ｃ１）は、バタフライ弁（５）などによる簡易な構成とすることが出来て、操作も簡単である。
（６）  上記の締め切り手段（Ｃ、Ｃ１）を、エアシリンダ（１２）により駆動する場合は、運転席（におけるスイッチ１６）から操作することができる。
【発明を実施するための最良の形態】
【００１７】
以下、添付図面を参照して本発明の実施形態を説明する。
なお、図９、１０で説明した従来技術と同様の部品には、同じ符号を付して重複した説明は省略する。
【００１８】
図１において、トラックのフレームＦに取り付けられて車両の側方方向に延びるブラケットＢ上に、燃料タンクＴ（液体タンク）が載置され、固定されている。そして、タンク本体１から車両の側部方向および上方に向けて、フィラーチューブ２（給液管）が突設されており、フィラーチューブ２の先端には給油口２ａ（給液口）が形成され、フィラーチューブ２の内部は給油通路（給液通路）となっている。
なお、図における符号Ｃは締め切り手段（詳細は後述）を示しており、符号３はフィラーキャップである。
【００１９】
以下、図２〜図５を参照して、前記締め切り手段Ｃを説明する。
フィラーチューブ２内に設けられたガードプレート４の下方において、給油時に挿入される給油ノズルとは干渉しない位置には、バタフライ弁５が設けられている。このバタフライ弁５は、回動することにより、フィラーチューブ２内の給油通路を開閉する。
なお、明確には図示されていないが、バタフライ弁５の弁板外周部には、フィラーチューブ２内周面との当たりを緩衝するため、樹脂製あるいはゴム製のガード部材を設けてもよい。
【００２０】
バタフライ弁の軸５ａの一端は、フィラーチューブ２に設けられた軸受７を貫通している。軸受７を貫通した軸５ａには作動アーム６が取り付けられており、その作動アーム６は、先端部が折り曲げ可能で収納できるように構成されている。
図２は作動アーム６の先端部を折り曲げた状態を示し、図３は作動アーム６の先端部を伸長した状態を示している。そして、図２の矢印Ｒ１は作動アーム６を伸長させる操作方向を示しており、図３の矢印Ｒ２は作動アーム６を折り曲げる操作方向を示している。
【００２１】
明確には図示されていないが、バタフライ弁５を開位置および閉位置において保持する係止手段が、フィラーチューブ２の内壁面に設けられている。この係止手段については、公知技術をそのまま適用すれば良い。
【００２２】
図２で示すように、給油をしていない状態においては、バタフライ弁５を閉位置に保持して、作動アーム６先端部を折り曲げて収納している。
給油時には図３で示すように作動アーム６を起こし（図２の矢印Ｒ１）、軸５ａを回動してバタフライ弁５を開位置に移動し（図４）、給油を行う（図５）。
そして、給油終了後は、作動アーム６によって軸５ａを回転し、バタフライ弁を図２および図３で示す閉位置に戻す。そして、作動アーム６を折り曲げて（図３の矢印Ｒ２）、収納する（図２）。
【００２３】
このように、図１〜図５の第１実施形態によれば、走行時（給油をしていない状態）には、図２で示すように、フィラーチューブ２内のバタフライ弁５は閉位置に保持されており、バタフライ弁５によりタンクＴ内の燃料が給油口まで上昇するのが阻止される。そのため、給油口に軍手などの布を被せなくても、燃料漏れが防止される。
給油時には、図４、図５で示すように、バタフライ弁５は開位置に保持されるので、給油作業を妨げてしまうことはない。
【００２４】
図６は、本発明の第２実施形態を示す。
図１〜図５の第１実施形態では、バタフライ弁５の作動は手動により行われる。それに対して、図６の第２実施形態では、バタフライ弁５の作動を動力駆動としている。
以下、図６を参照して、主として図１〜図５の第１実施形態とは相違している部分について説明する。
【００２５】
一端がフレームＦに取り付けられたブラケット１１には、エアシリンダ１２が取り付けられている。
フィラーチューブ２に収容されているバタフライ弁５（図６では図示せず）の軸５ａは、ブラケット１１の先端部を貫通している。ブラケット１１を貫通している軸５ａには、作動アーム６Ａが取り付けられている。
【００２６】
前記エアシリンダ１２にはリンク１３が連結しており、リンク１３には作動アーム６Ａが連結されている。また、作動アーム６Ａにはスプリング３２の一端が取り付けられており、スプリング３２の他端はエアシリンダ１２の端面に取り付けられている。そして、スプリング３２は、収縮方向へ付勢されている。
エアシリンダ１２が伸長すると、作動アーム６Ａは矢印Ｒ３方向へ回動する。一方、エアシリンダ１２が収縮すると、スプリング３２の弾性収縮力も作用するため、作動アーム６Ａは矢印Ｒ３の反対方向へ回動する。そして、作動アーム６Ａの矢印Ｒ３方向の回動と、矢印Ｒ３の反対方向への回動により、バタフライ弁５の開閉が行われる。
【００２７】
エアシリンダ１２を作動するエアは、電磁弁１４を介装した配管１７から供給されている。そして、電磁弁１４には、運転席に設けられたスイッチ１６から信号伝達ラインＬＳが配線されている。
運転席でスイッチ１６を操作すれば、その操作信号が信号伝達ラインＬＳを経由して電磁弁１４に伝達され、エアシリンダ１２が作動して、バタフライ弁５が開閉されるのである。
【００２８】
図６の第２実施形態においても、図２〜図５を参照して上述したのと同様に、走行時にはバタフライ弁５が閉じて、燃料漏れ防止が図られる。そして、給油に際しては、バタフライ弁５を開位置に移動すれば、給油作業が妨げられることはない。
そして、図６の第２実施形態によれば、バタフライ弁５の開閉操作を、運転席のスイッチ１６を操作することで行うことが出来る。すなわち、給油の際に、ドライバーが運転席から降りて、燃料タンクＴ近傍まで移動して、バタフライ弁５の開閉を行う必要がなくなる。
図６の第２実施形態におけるその他の構成および作用効果は、図１〜図５の第１実施形態と同様である。
【００２９】
図７および図８は、第３実施形態を示す。
図７及び図８の第３実施形態においては、図１〜図６の実施形態で用いられたバタフライ弁５に代えて、別のタイプの締め切り手段Ｃ１を設けている。そして、当該締め切り手段Ｃ１は、フィラーチューブ２内に設けられている漏斗状のガードプレート４において、その中央部に形成された穴部４ａを開閉する様に構成されている。
【００３０】
図７および図８において、締め切り手段Ｃ１は、フィラーチューブ２内において、ガードプレート４下方の位置に設けられた弁体２１を有している。
この弁体２１は、フィラーチューブ２内周に沿って、上下方向に摺動可能に構成されている。
【００３１】
弁体２１は、図７で示す（弁体２１の）上昇時（閉鎖時）には、弁体２１がガードプレート穴部４ａを閉塞する様に構成されている。
そして、弁体２１の周縁部には開口が形成されており、図８で示す（弁体２１の）下降時（開放時）には、弁体２１の周縁部に形成された開口が給油通路となる様に構成されている。
【００３２】
さらに弁体２１の下方には、フィラーチューブ２を直交するクランク状軸２３が設けられている。このクランク軸２３は、連結部材２２を介して前記弁体２１と連結しており、軸２３を回動することにより、弁体２１を上下動せしめる。
換言すれば、クランク軸２３を回動することにより、弁体２１は、ガードプレート穴部４ａを閉鎖する上方位置と、ガードプレート穴部４ａを開放する下方位置とを移動するのである。
【００３３】
図７、図８において、クランク軸２３の端部には、作動アーム６が取り付けられている。
作動アーム６の回動については、図１〜図５と同様に手動操作としても良いし、あるいは、図６の第２実施形態と同様にエアシリンダによる作動としてもよい。
【００３４】
図７、図８の第３実施形態によれば、走行時（給油していない場合）には弁体２１を上方位置に保持して、ガードプレート穴部４ａを閉鎖して、燃料漏れを防止することが出来る。そして、給油に際しては、弁体２１を下方位置に移動して、ガードプレート穴部４ａを開放して、給油作業が妨げられることを防止する。
図７、図８の第３実施形態におけるその他の構成および作用効果は、図１〜図６の実施形態と同様である。
【００３５】
図示の実施形態はあくまでも例示であり、本発明の技術的範囲を限定する趣旨の記述ではない旨を付記する。
例えば、図示の実施形態では、液体タンクが燃料タンクＴである場合を説明しているが、尿素水タンク等が液体タンクであっても良い。尿素水タンクの場合であっても、燃料タンクＴに対する図示の実施形態が、同様に適用される。
【図面の簡単な説明】
【００３６】
【図１】第１実施形態に係る燃料漏れ防止装置を装着した燃料タンクの斜視図。
【図２】第１実施形態で用いられる締め切り手段の走行時の状態を示す斜視図。
【図３】図２で示す締め切り手段の開弁作動を開始する状態を示す斜視図。
【図４】図２で示す締め切り手段の開弁状態を示す斜視図。
【図５】図２で示す締め切り手段の給油時の状態を示す斜視図。
【図６】本発明の第２実施形態を示す斜視図。
【図７】本発明の第３実施形態の閉弁状態を示す断面図。
【図８】第３実施形態の開弁状態を示す断面図。
【図９】従来の燃料タンクを示す正面図。
【図１０】従来のフィラーチューブを示す断面図。
【符号の説明】
【００３７】
１・・・燃料タンク本体
２・・・フィラーチューブ
３・・・フィラーキャップ
５・・・バタフライ弁
６、６Ａ・・・アーム
１１・・・（エアシリンダ）ブラケット
１２・・・エアシリンダ
１３・・・リンク
１４・・・電磁弁
【図１】
2008213584.tif 000003
【図２】
2008213584.tif 000004
【図３】
2008213584.tif 000005
【図４】
2008213584.tif 000006
【図５】
2008213584.tif 000007
【図６】
2008213584.tif 000008
【図７】
2008213584.tif 000009
【図８】
2008213584.tif 000010
【図９】
2008213584.tif 000011
【図１０】
2008213584.tif 000012